(57)【特許請求の範囲】
【請求項１】
スライドノック式筆記具において、筆記芯の出没を行うノック部材が、筒軸内に設けられ前記筒軸の軸線方向に摺動し得る摺動部材と、この摺動部材に組付けされている操作部材とから構成され、前記両部材が組付けられた状態において、相互に一方の部材が他方の部材に対して、前記筒軸の軸線方向の応力を及ぼしておらず、
前記両部材の組付けが、前記両部材のいずれか一方に設けられた、前記筒軸の軸線方向の内向きに突出する係止部が、他方の部材に設けられた前記軸線方向の外向きに突出する係止爪を乗り越えることでなされるようにしたことを特徴とするスライドノック式筆記具。
【請求項２】
スライドノック式筆記具において、筆記芯の出没を行うノック部材が、筒軸内に設けられ前記筒軸の軸線方向に摺動し得る摺動部材と、この摺動部材に組付けされている操作部材とから構成され、前記操作部材を前記軸線方向に操作した場合における筆記芯の前記筒軸からの繰出し、または前記筒軸への没入の少なくともいずれか一方の初期操作時においては操作部材のみが軸線方向に摺動し、次いで前記摺動部材が操作部材とともに軸線方向に摺動するように、前記摺動部材と前記操作部材とが組付けされていることを特徴とするスライドノック式筆記具。
【請求項３】
摺動部材と操作部材の組付けが、前記両部材のいずれか一方に設けられた、筒軸の軸線方向の内向きに突出する係止部が、他方の部材に設けられた前記軸線方向の外向きに突出する係止爪を乗り越えることでなされるようにした請求項２記載のスライドノック式筆記具。
【請求項４】
組付けされた摺動部材と操作部材の組付け内部において、筒軸の軸線方向における前記摺動部材と前記操作部材との間に間隙を設けた請求項１〜３のいずれかに記載のスライドノック式筆記具。
【請求項５】
摺動部材に筒軸の軸線方向と直交する側面視においてほぼＴ字状の係止爪を設け、この係止爪の前記軸線方向の寸法を幅方向の寸法よりも大きくするとともに、操作部材の係止部を、前記操作部材に前記筒軸の径方向に貫通する挿入孔を設けるとともに、この挿入孔内に前記軸線方向の内向きに突出する係止部を設けることによって形成し、前記両部材の組付けが、前記係止部が前記係止爪を乗り越えることでなされようにした請求項１〜４のいずれかに記載のスライドノック式筆記具。
【請求項６】
組付けされた摺動部材と操作部材の組付け内部において、筒軸の軸線方向における前記摺動部材と前記操作部材との間に間隙を設け、この間隙内に弾性緩衝部材を配設した請求項１〜５のいずれかに記載のスライドノック式筆記具。
【発明の詳細な説明】
【技術分野】
【０００１】
本発明は、スライドノック式筆記具に関し、特に筆記芯の出没を行うノック部材の組付けに関する。
【背景技術】
【０００２】
スライドノック式の多色・複合筆記具においては、たとえば特許文献１、２に示されるように、ノック部材が、筒軸内に設けられ前端に筆記芯が着脱自在に挿着された摺動部材と、この摺動部材に組付けされている操作部材とよりなるものが広く使用されている。操作部材は、筒軸側面に設けられたスリット状開口部を介して、摺動部材に組付けされている。
【０００３】
特許文献１においては、摺動部材に設けた嵌合孔に、操作部材に設けた円柱状や角柱状の嵌合ピンを筒軸の径方向に嵌合させることで両部材の組付けがなされている。  また、特許文献２では、摺動部材に設けた雌ねじに、操作部材に設けた雄ねじを螺合することによって両部材の組付けがなされている。
【０００４】
しかし、特許文献１の組付け形態では、嵌合孔と嵌合ピン間に常に嵌合応力が負荷された状態にあるため、経時変化によるクリープ現象で嵌合力が弱くなり、筆記芯の出没を行う際の軸線方向にかかる操作荷重や、収納時のノック部材と筒軸間の衝撃で操作部材が摺動部材から外れてしまう問題があった。
【０００５】
また、特許文献１、２の組付け形態の場合、摺動部材や操作部材のノック部材に設けた嵌合孔、ピン、ねじ部等は、非常に小さいものであるため、前記出没・収納時にかかる荷重や衝撃の反復により、これらのピン、雄ねじ部等の係止部が破損し易いという問題もあった。
【先行技術文献】
【特許文献】
【０００６】
【特許文献１】特許第３９３９１９６号公報
【特許文献２】特開２００３−１１５８３号公報
【発明の概要】
【発明が解決しようとする課題】
【０００７】
本発明は、前記の現状に鑑み、ノック部材を構成する摺動部材と操作部材の
組付けに関して、経時変化によるクリープ現象等で嵌合力が弱くなり、出没・収納時にかかる荷重や衝撃の反復により生ずる操作部材の外れや嵌合部の破損という問題を解消する組付け形態を備えるスライドノック式筆記具を提供することを目的とする。
【課題を解決するための手段】
【０００８】
本発明によると、前記課題は、次のような手段によって解決される。
【０００９】
（１）スライドノック式筆記具において、筆記芯の出没を行うノック部材が、筒軸内に設けられ前記筒軸の軸線方向に摺動し得る摺動部材と、この摺動部材に組付けされている操作部材とから構成され、前記両部材が組付けられた状態において、相互に一方の部材が他方の部材に対して、前記筒軸の軸線方向の応力を及ぼしておらず、前記両部材の組付けが、前記両部材のいずれか一方に設けられた、前記筒軸の軸線方向の内向きに突出する係止部が、他方の部材に設けられた前記軸線方向の外向きに突出する係止爪を乗り越えることでなされるようにしたことを特徴とするスライドノック式筆記具とする。
このような構成とすることにより、摺動部材と操作部材が組付けられた状態において、相互に一方の部材が他方の部材に対して、筒軸の軸線方向の応力を及ぼしていないため、経時変化によるクリープ現象等が生ずることがなく、これに起因して嵌合力が弱くなり、出没・収納時にかかる荷重や衝撃の反復により、操作部材が外れるという問題を解消することができる。
また、このような構成とすることにより、摺動部材と操作部材の両部材を容易に組付けることができる。
【００１０】
（２）スライドノック式筆記具において、筆記芯の出没を行うノック部材が、筒軸内に設けられ前記筒軸の軸線方向に摺動し得る摺動部材と、この摺動部材に組付けされている操作部材とから構成され、前記操作部材を前記軸線方向に操作した場合における筆記芯の前記筒軸からの繰出し、または前記筒軸への没入の少なくともいずれか一方の初期操作時においては操作部材のみが軸線方向に摺動し、次いで前記摺動部材が操作部材とともに軸線方向に摺動するように、前記摺動部材と前記操作部材とが組付けされていることを特徴とするスライドノック式筆記具とする。
このような構成とすることにより、摺動部材と操作部材が組付けられた状態において、相互に一方の部材が他方の部材に対して、筒軸の軸線方向の応力を及ぼしていないこととなる。このため、前記（１）項と同様な効果が奏される。
【００１１】
（３）前記（２）項において、摺動部材と操作部材の組付けが、前記両部材のいずれか一方に設けられた、筒軸の軸線方向の内向きに突出する係止部が、他方の部材に設けられた前記軸線方向の外向きに突出する係止爪を乗り越えることでなされるようにする。
このような構成とすることにより、摺動部材と操作部材の両部材を容易に組付けることができる。
【００１２】
（４）前記（１）〜（３）項のいずれかにおいて、組付けされた摺動部材と操作部材の組付け内部において、筒軸の軸線方向における前記摺動部材と前記操作部材との間に間隙を設ける。
このような構成とすることにより、前記操作部材を前記軸線方向に操作した場合における筆記芯の前記筒軸からの繰出し、または前記筒軸への没入の少なくともいずれか一方の初期操作時においては操作部材のみが軸線方向に摺動し、次いで前記摺動部材が操作部材とともに軸線方向に摺動するように、両部材を組付けることができる。すなわち、前記操作部材を筒軸の軸線方向に操作した場合の初期操作時に前記操作部材のみが摺動することにより、前記間隙が消失して操作部材が摺動部材に当接し、これにより摺動部材が操作部材とともに摺動する。
【００１３】
（５）前記（１）項〜（４）項のいずれかにおいて、摺動部材に筒軸の軸線方向と直交する側面視においてほぼＴ字状の係止爪を設け、この係止爪の前記軸線方向の寸法を幅方向の寸法よりも大きくするとともに、操作部材の係止部を、前記操作部材に前記筒軸の径方向に貫通する挿入孔を設けるとともに、この挿入孔内に前記軸線方向の内向きに突出する係止部を設けることによって形成し、前記両部材の組付けが、前記係止部が前記係止爪を乗り越えることでなされようにする。
このような構成とすることにより、摺動部材の係止爪、特に筒軸の軸線方向の強度が向上し、また操作部材の係止部も挿入孔内にあるため、筆記芯の出没・収納時にかかる荷重や衝撃の反復による破損を可及的に防止することができるとともに、摺動部材と操作部材の両部材を容易に組付けることができる。
【００１４】
（６）前記（１）項〜（５）項のいずれかにおいて、組付けされた摺動部材と操作部材の組付け内部において、筒軸の軸線方向における前記摺動部材と前記操作部材との間に間隙を設け、この間隙内に弾性緩衝部材を配設するようにする。
このような構成とすることにより、前記間隙の存在により生ずる虞がある操作部材６のがたつきを防止することができる。また、弾性緩衝部材を配設した場合、操作部材６を筒軸４の軸線方向に操作したときの初期操作時には、操作部材６の摺動により前記弾性緩衝部材が弾性変形し、次いで摺動部材５が操作部材６とともに摺動することとなる。
【発明の効果】
【００１５】
本発明のスライドノック式筆記具は、ノック部材を構成する摺動部材と操作部材の組付けに関して、経時変化によるクリープ現象等で嵌合力が弱くなり、出没・収納時にかかる荷重や衝撃の反復により生ずる操作部材の外れや嵌合部の破損を防止することができる。
【図面の簡単な説明】
【００１６】
【図１】本発明を実施した芯格納状態のスライドノック式筆記具を示し、（a）は斜視図、（ｂ）は（a）におけるｂ〜ｂ線断面図である。
【図２】本発明を実施した芯出し状態のスライドノック式筆記具を示し、（a）は斜視図、（ｂ）は（a）におけるｂ〜ｂ線断面図である。
【図３】図１（ｂ）における要部の拡大断面図である。
【図４】図２（ｂ）における要部の拡大断面図である。
【図５】摺動部材の拡大斜視図である。
【図６】操作部材を示し、（a）はその拡大斜視図、（ｂ）は（a）におけるｂ〜ｂ線断面図である。
【発明を実施するための形態】
【００１７】
以下、本発明を実施形態に基づいて説明する。
図１は、本発明を実施した芯格納状態のスライドノック式筆記具１を示
し、（a）は斜視図、（ｂ）は（a）におけるｂ〜ｂ線断面図である。
、図２は、本発明を実施した芯出し状態のスライドノック式筆記具を示
し、（a）は斜視図、（ｂ）は（a）におけるｂ〜ｂ線断面図である。
なお、本実施例では、ボールペン芯とシャープペン芯を備える多芯筆記具について示してある。
図３は、図１（ｂ）における要部の拡大断面図である。図４は、図２（ｂ）における要部の拡大断面図である。
【００１８】
本発明において、筆記芯２の出没を行うノック部材３は、筒軸４内に設けられ前記筒軸４の軸線方向に摺動し得る摺動部材５と、この摺動部材５に組付けされている操作部材６とから構成される。
【００１９】
図５は、摺動部材５の拡大斜視図、図６は、操作部材６を示し、（a）はその拡大斜視図、（ｂ）は（a）におけるｂ〜ｂ線断面図である。
【００２０】
摺動部材５は、図５に示すように、筒軸４の軸線方向に長尺な摺動部材本体５ａの前端に、筆記芯２を着脱可能に装着する筆記芯装着部５ｂが設けられるとともに、摺動部材本体５ａの後端部近傍に筒軸４の外側向きに、筒軸４の軸線方向と直交する側面視においてほぼＴ字状の係止爪５ｃが設けられている。
この係止爪５ｃは、前部爪部５dと後部爪部５eを有する。前記係止爪５ｃは、ほぼ板状をなしており、筒軸４の軸線方向の寸法は幅方向の寸法よりも大きく形成されている。このような構成とすることにより、係止爪５ｃにおける前記軸線方向の強度が向上し、筆記芯２の出没・収納時に負荷される荷重や衝撃の反復による破損を可及的に防止することができる。
【００２１】
操作部材６は、図６に示すように、長さが、摺動部材５の係止爪５ｃよりも少し大きい部材からなり、筒軸４の径方向に貫通する挿入孔６ａが設けられている。操作部材６の係止部６ｂ、６ｃは、前記挿入孔６ａ内に筒軸４の軸線方向の内向きに突出する係止部６ｂ、６ｃを設けることによって形成されている。
【００２２】
摺動部材５と操作部材６の組付けは、操作部材６に設けた係止部６ｂ、６ｃが、摺動部材５に設けた係止爪５ｃを乗り越えることによりなされる。すなわち、図３において二点鎖線で示すように、まず操作部材６の後部係止部６ｃを、摺動部材５の後部爪部５eに係合させ、次いで操作部材６の前部を矢印Fで示す方向に押圧して、操作部材６の前部係止部６ｂを、摺動部材５の前部爪部５dに係合させることにより、操作部材６に設けた係止部６ｂ、６ｃが、摺動部材５に設けた前部爪部５d、後部爪部５eを乗り越えることができる。このようにすることにより、摺動部材５と操作部材６の両部材を容易に組付けることができる。
【００２３】
一般には、筒軸４内に予め配設した摺動部材５に対して、筒軸４の筒面後部に設けられた軸線方向に長手の開口部７を介して、操作部材６を外方から組付けることによってノック部材３が構成される。
【００２４】
組付けられたノック部材３は、図３に示すように、通常は、摺動部材５と操作部材６の組付け内部において、筒軸４の軸線方向における摺動部材５と操作部材６との間に間隙Ｌ１、Ｌ２、Ｌ３、Ｌ４が存在しうるように設計されている。また、図４においては、間隙Ｌ１、Ｌ２、Ｌ４は存在するが、間隙Ｌ３は存在しない。換言すれば、操作部材６を筒軸４の軸線方向に操作した場合の初期操作時において、操作部材６と摺動部材５とが相対的な運動が可能であればよい。詳しくは、操作部材６を筒軸４の軸線方向に操作した場合における筆記芯２の前記筒軸４からの繰出し、または前記筒軸４への没入の少なくともいずれか一方の初期操作時においては操作部材６のみが軸線方向に摺動し、次いで操作部材６が摺動部材５に組付け内部において当接することにより、摺動部材５が操作部材６とともに摺動するように、摺動部材５と操作部材６とが組付けされていればよい。
【００２５】
このような構成とすることにより、摺動部材５と操作部材６の両部材が組付けられた状態において、相互に一方の部材が他方の部材に対して、筒軸４の軸線方向の応力を及ぼしていないこととなる。このように相互に一方の部材が他方の部材に対して応力を及ぼしていないため、経時変化によるクリープ現象等が生ずることがなく、これに起因して嵌合力が弱くなり、出没・収納時にかかる荷重や衝撃の反復により、操作部材６が外れるという問題を解消することができる。
【００２６】
また、本発明は更に別の実施例として、組付けされた摺動部材５と操作部材６の組付け内部において、筒軸４の軸線方向における摺動部材５と操作部材６との間に間隙を設け、この間隙内に弾性緩衝部材を配設することもできる。
【００２７】
このような構成とすることにより、前記間隙の存在により生ずる虞がある操作部材６のがたつきを防止することができる。また、弾性緩衝部材を配設した場合、操作部材６を筒軸４の軸線方向に操作したときの初期操作時には、操作部材６の摺動により前記弾性緩衝部材が弾性変形し、次いで摺動部材５が操作部材６とともに摺動することとなる。
【００２８】
また、実施例として、摺動部材に係止爪、操作部材に係止部を設けた場合について説明したが、これとは逆に摺動部材に係止部、操作部材に係止爪を設けてもよい。たとえば、摺動部材に挿入孔を設けて、この挿入孔内に筒軸の軸線方向の内向きに突出する係止部を設け、操作部材に外向きの係止爪を設ける形態としてもよい。
【符号の説明】
【００２９】
１    スライドノック式筆記具
２    筆記芯
３    ノック部材
４    筒軸
５    摺動部材
５ａ  摺動部材本体
５ｂ  筆記芯装着部
５ｃ  係止爪
５ｄ  前部爪部
５e   後部爪部
６    操作部材
６ａ  挿入孔
６ｂ  係止部（前部係止部）
６ｃ  係止部（後部係止部）
７    開口部
【図１】
0006490987.tif 000002
【図２】
0006490987.tif 000003
【図３】
0006490987.tif 000004
【図４】
0006490987.tif 000005
【図５】
0006490987.tif 000006
【図６】
0006490987.tif 000007